(57)【特許請求の範囲】
【請求項１】
少なくとも後身頃を含む身頃、左袖、および右袖を備える衣料の上半身部であって、
前記左袖が、前記身頃の左側に繋げられた左連繋部を含み、
前記右袖が、前記身頃の右側に繋げられた右連繋部を含み、
前記左連繋部と前記右連繋部とのそれぞれが背面に、袖の内方へ突出した凹みを含み、
前記凹みが、前記左袖または前記右袖の周方向よりも当該袖の長さ方向において長い、
衣料の上半身部。
【請求項２】
前記左袖は、
前記左袖の長さ方向において２０％伸長時に伸長力が４５ｃＮ以上となる難伸長領域
を有し、
前記左袖の難伸長領域は、少なくとも前記左連繋部の背面に広がっており、
前記右袖は、
前記右袖の長さ方向において２０％伸長時に伸長力が４５ｃＮ以上となる難伸長領域
を有し、
前記右袖の難伸長領域は、少なくとも前記右連繋部の背面に広がっている、
請求項１に記載の衣料の上半身部。
【請求項３】
前記左袖の難伸長領域は、前記左連繋部の背面から前面にわたって広がっており、
前記右袖の難伸長領域は、前記右連繋部の背面から前面にわたって広がっている、
請求項２に記載の衣料の上半身部。
【請求項４】
前記左袖は、
前記左袖の長さ方向に４５ｃＮ以上の伸張力をかけても伸長率が２０％未満でしかない非伸長領域
を有し、
前記左袖の非伸長領域は、少なくとも前記左連繋部の背面に広がっており、
前記右袖は、
前記右袖の長さ方向に４５ｃＮ以上の伸張力をかけても伸長率が２０％未満でしかない非伸長領域
を有し、
前記右袖の非伸長領域は、少なくとも前記右連繋部の背面に広がっている、
請求項１に記載の衣料の上半身部。
【請求項５】
前記左袖の非伸長領域は、前記左連繋部の背面から前面にわたって広がっており、
前記右袖の非伸長領域は、前記右連繋部の背面から前面にわたって広がっている、
請求項４に記載の衣料の上半身部。
【請求項６】
前記左連繋部と前記右連繋部とのそれぞれが、前記後身頃から後方へ向かって延びている、請求項１から請求項５までのいずれか一項に記載の衣料の上半身部。
【請求項７】
前記後身頃は、前記左袖の背面と前記右袖の背面との間に、着用者の左右の肩甲骨が互いから離れることを阻む規制部を含む、請求項１から請求項６までのいずれか一項に記載の衣料の上半身部。
【発明の詳細な説明】
【技術分野】
【０００１】
本発明は、衣料の上半身部に関する。
【背景技術】
【０００２】
着用者の上半身の少なくとも一部を覆うことができる衣料の上半身部が知られている（たとえば、特許文献１参照）。
【先行技術文献】
【特許文献】
【０００３】
【特許文献１】特開２０１４−１９６５８７号公報
【発明の概要】
【発明が解決しようとする課題】
【０００４】
人は、スマートフォン等の携帯機器を操作するとき、携帯機器を持つ腕が自身の正面中央側へ回るように、肩が正しい姿勢での位置よりも自身の前方へ出る姿勢を取りやすい。「正しい姿勢」とは、具体的には、平坦面に起立している人を真横から見た場合、その人の首のつけ根、肩、ひじ、くるぶしがほぼ一直線上に位置する姿勢である。両肩が前方へ出る姿勢は、頻繁に繰り返され、または長時間連続して保持された場合、巻き肩、猫背といった体形の悪化を招きかねない。「巻き肩」とは、肩甲骨が左右に広がって肩が内側へ入った体形をいう。「猫背」とは、背骨が前後に湾曲して頭が前へ出た姿勢をいう。これらの体形は肩こり等の痛みの原因にもなり得る。【０００５】
本発明は、このような事情に鑑みてなされたものであり、両腕が正面中央側へ回るように両肩が前方へ出る姿勢を着用者に取らせづらくすることができる衣料の上半身部の提供を目的とする。
【課題を解決するための手段】
【０００６】
本発明の一つの観点による衣料の上半身部は、少なくとも後身頃を含む身頃、左袖、および右袖を備えている。左袖が、身頃の左側に繋げられた左連繋部を含み、右袖が、身頃の右側に繋げられた右連繋部を含む。左連繋部と右連繋部とのそれぞれが背面に、袖の内方へ突出した凹みを含む。この凹みが、左袖または右袖の周方向よりも当該袖の長さ方向において長い。【０００７】
着用者は正しい姿勢から、たとえば左腕を前方へ出す際、まず左連繋部の背面の凹みを均さねばならないので、左腕に抵抗を受ける。この抵抗により、正しい姿勢から左腕が自然に前方へ出ることが阻止される。右腕についても同様である。したがって、両腕が正面中央側へ回るように両肩が前方へ出る姿勢を着用者は取りづらい。【０００８】
左袖は、左袖の長さ方向において２０％伸長時に伸長力が４５ｃＮ以上となる難伸長領域を有してもよい。左袖の難伸長領域は、少なくとも左連繋部の背面に広がっていてもよい。右袖は、右袖の長さ方向において２０％伸長時に伸長力が４５ｃＮ以上となる難伸長領域を有してもよい。右袖の難伸長領域は、少なくとも右連繋部の背面に広がっていてもよい。左袖の難伸長領域は、左連繋部の背面から前面にわたって広がっていてもよく、右袖の難伸長領域は、右連繋部の背面から前面にわたって広がっていてもよい。ここで、「伸長力」とは、約２０℃（１８℃〜２２℃）の環境下において、幅２．５ｃｍ、長さ１０ｃｍの生地を定速伸長形引張試験機により、引張り速度３０ｃｍ／分で長さ方向に伸長させるのに必要な力をいう。この明細書には、定速伸長形引張試験機として、島津製作所製ＡＧＳ−Ｘを用いて測定された伸長力の値が記載されている。難伸長領域を有することにより、左右の袖の連繋部がいずれも伸びに応じて強い引張力を発生させるので、いずれの連繋部も、背面の凹みが均される際の抵抗力をほとんど、または全く減殺しない。その結果、着用者の左右の肩甲骨、上腕上部、および肩の前方への移動を効果的に阻止することができる。【０００９】
左袖と右袖とは難伸長領域に代えて非伸長領域を有してもよい。非伸長領域は、各袖の長さ方向に４５ｃＮ以上の伸張力をかけても伸長率が２０％未満でしかない領域である。左袖の非伸長領域は少なくとも左連繋部の背面に広がっていてもよく、右袖の非伸長領域は少なくとも右連繋部の背面に広がっていてもよい。左袖の非伸長領域は左連繋部の背面から前面にわたって広がっていてもよく、右袖の非伸長領域は右連繋部の背面から前面にわたって広がっていてもよい。これらの構成によれば、左右の袖の連繋部がいずれもほとんど伸びない、または実質上伸びないので、いずれの連繋部も、背面の凹みが均される際の抵抗力をほとんど、または全く減殺しない。その結果、着用者の左右の肩甲骨、上腕上部、および肩の前方への移動を効果的に阻止することができる。【００１０】
左連繋部と右連繋部とのそれぞれが後身頃から後方へ向かって延びていてもよい。この場合、着用者が正しい姿勢でいても、その両腕が後方へ引かれる。したがって、両腕が正面中央側へ回るように両肩が前方へ出る姿勢を着用者は更に取りづらい。【００１１】
後身頃は、左袖の背面と右袖の背面との間に、着用者の左右の肩甲骨が互いから離れることを阻む規制部を含んでいてもよい。規制部は後身頃と一体に構成されていてもよい。ここで、「一体に構成されている」とは、規制部の生地が後身頃の他の領域の生地に縫製で繋げられていることであっても、他の領域の生地と共に編まれていることであってもよい。これとは別に、規制部が、後身頃に付加された後身頃とは別の生地を含んでいてもよい。この生地は、左右両側の袖の背面と後身頃との間の境界に縫合されていてもよく、左右両側の袖の背面に縫合されていてもよい。規制部の抵抗力により、両腕が正面中央側へ回るように両肩が前方へ出る姿勢を着用者は更に取りづらい。
【発明の効果】
【００１２】
本発明の上記の観点による衣料の上半身部では、着用者が正しい姿勢から左右いずれの腕を前方へ出す際にも、対応する袖の連繋部の凹みから抵抗を受ける。したがって、正しい姿勢からいずれの腕も、自然には前方へ出にくい。こうして、本発明による衣料の上半身部は、両腕が正面中央側へ回るように両肩が前方へ出る姿勢を着用者に取らせづらくすることができる。
【図面の簡単な説明】
【００１３】
【図１】本発明の実施形態による衣料の上半身部の正面図である。
【図２】図１が示す衣料の上半身部の背面図である。
【図３】図１、図２が示す前身頃と後身頃とのうち、左袖ぐりの近傍を示す部分展開図である。
【図４】図１が示す左袖と、前身頃のうち左袖ぐりの近傍との展開図である。
【図５】図２が示す左袖と、後身頃のうち左袖ぐりの近傍との展開図である。
【図６】図１が示す衣料の上半身部の立体形状の平面図である。
【図７】（ａ）は、ほぼ垂直に伸びているダーツを含む衣料の上半身部の背面図であり、（ｂ）は、ほぼ水平に伸びているダーツを含む衣料の上半身部の背面図である。
【発明を実施するための形態】
【００１４】
以下、本発明の実施形態について、図面を参照しながら説明する。
【００１５】
図１、図２はそれぞれ、本発明の実施形態による衣料の上半身部１００の正面図、背面図である。この明細書では、衣料の上半身部（以下、「上衣部」と略す。）１００の着用者を基準にして左右方向を定める。たとえば、「左方向」は、図１では右方向に描かれ、図２では左方向に描かれる。
【００１６】
上衣部１００は、着用者の体幹上部および両上腕を包み込むように構成されている。上衣部１００はたとえば半袖のシャツであり、肌着（インナーウェア）であっても、中衣または上着（アウターウェア）であってもよい。上衣部１００は、身頃１１０、１２０、左袖１３０、および右袖１４０を備えている。
【００１７】
身頃１１０、１２０は太い筒形状であり、着用者の体幹上部を包む。身頃は前身頃１１０と後身頃１２０とを含む。前身頃１１０は、身頃のうち着用者の体幹上部の前面（胸と腹）に対向する部分であり、その前面のほぼ全体を覆う。後身頃１２０は、身頃のうち着用者の体幹上部の背面（背中）に対向する部分であり、その背面の全体を覆う。前身頃１１０と後身頃１２０とはいずれも形状が左右対称である。
【００１８】
左袖１３０は身頃の左側に、右袖１４０は身頃の右側に、それぞれ縫合されている。両袖１３０、１４０はいずれも細い筒形状であり、着用者の左右の上腕上部を包む。各袖１３０、１４０は袖口１３３、１４３と連繋部（「袖山」ともいう。）１３５、１４５とを含む。袖口１３３、１４３は、各袖１３０、１４０が成す筒形の先端の開口部に相当し、連繋部１３５、１４５は基端の開口部に相当する。各連繋部１３５、１４５は特に着用者の肩を覆う（図１、図２が示す粗いドット領域参照）。各袖１３０、１４０は長さ方向（図１、図２が示す矢印ＬＤＬ、ＲＤＬの方向）のサイズが自由に設定可能である。図１、図２では、両袖１３０、１４０は半袖に設定されている。その他に、両袖１３０、１４０は長袖でも七分袖であってもよい。
【００１９】
前身頃１１０と後身頃１２０とは、左脇１１３、右脇１１４、および両肩１１５で縫合されている。これにより、身頃は、襟ぐり１１６、裾１１７、左袖ぐり１１８、および右袖ぐり１１９を含む。襟ぐり１１６は、身頃が成す筒形の上側の開口部に相当し、裾１１７は下側の開口部に相当する。左袖ぐり１１８は、身頃の左上側に開けられた穴の縁であり、右袖ぐり１１９は、身頃の右上側に開けられた穴の縁である。左袖ぐり１１８には左袖１３０の連繋部１３５（以下、「左連繋部」と略す。）が縫合され、右袖ぐり１１９には右袖１４０の連繋部１４５（以下、「右連繋部」と略す。）が縫合されている。
【００２０】
前身頃１１０を構成する生地は伸縮性であっても、非伸縮性であってもよい。後身頃１２０を構成する生地は伸縮性である。ただし、後身頃１２０のうち、左袖１３０と右袖１４０との間の領域１２８（図２が示す密なドット領域参照。）は、難伸長性または非伸長性の生地で構成されている。「難伸長性」とは、生地が伸びにくいこと、具体的には、左右方向において２０％伸長時に生地の伸長力が４５ｃＮ以上となることをいう。「非伸長性」とは、生地がほとんど伸びない、または実質上伸びないこと、具体的には、左右方向において４５ｃＮの伸長力を加えても生地の伸長率が２０％未満でしかないことをいう。生地の難伸長性、または非伸長性により、この領域１２８は後身頃１２０の他の領域と比べ、外からの引張力に対する反力が強い。この領域１２８を、以下、「規制部」という。規制部１２８は、左脇１１３の上端ＬＷＰと右脇１１４の上端ＲＷＰとを結ぶ水平線ＬＶＬよりも上方に位置する。規制部１２８の左側には左連繋部１３５の背面が縫合され、右側には右連繋部１４５の背面が縫合されている。規制部１２８は左連繋部１３５の背面と右連繋部１４５の背面とによって左右方向へ引っ張られた際に、両背面に対して返す反力が強い。これにより規制部１２８は、着用者の左右の肩甲骨が互いから離れることを阻むことができる。
【００２１】
図３は、前身頃１１０と後身頃１２０とのうち、左袖ぐり１１８の近傍を示す部分展開図である。なお、右袖ぐり１１９の近傍の部分展開図は、図３の左右を反転させた図に等しい。したがって、以下では左袖ぐり１１８について説明する。その説明は右袖ぐり１１９についても援用される。
【００２２】
前身頃１１０と後身頃１２０との間の縫合が解かれると、左袖ぐり１１８は前部３１０と後部３２０とに分かれる。左袖ぐり１１８の前部３１０は前身頃１１０の左上側（図３では右上側）に位置し、左抉り部３１１と左脇上部３１２とを含む。左抉り部３１１は、前身頃１１０の左上角を抉り取った跡のような曲線形状であり（図３参照。）、左連繋部１３５の前面と縫合される（図１参照）。左脇上部３１２は、身頃の左脇１１３の上端を構成する部分であり、左連繋部１３５の背面と縫合される（図２参照）。左袖ぐり１１８の後部３２０は後身頃１２０の左上側に位置し、後身頃１２０の左上角を抉り取った跡のような曲線形状である（図３参照）。したがって、以下、左袖ぐり１１８の後部３２０を「後身頃１２０の左抉り部」ともいう。後身頃１２０の左抉り部３２０は全体が左連繋部１３５の背面と縫合される（図２参照）。
【００２３】
左袖ぐり１１８の前部３１０は左連繋部１３５の前面と背面との両方に縫合され、後部３２０は左連繋部１３５の背面にのみ縫合される。この違いにより、左連繋部１３５の前面と前身頃１１０との間の縫合部分の最下点ＳＴＰが、左連繋部１３５の背面と身頃１１０、１２０との間の境界の最下点ＬＷＰよりも、距離ＬＵＰだけ上方に配置される。この距離ＬＵＰは好ましくは１ｃｍ以上２０ｃｍ以下である。この距離ＬＵＰにより、規制部１２８の引張力が左連繋部１３５の前面と前身頃１１０との間の縫合部分の最下点ＳＴＰに直接的には作用しない。その結果、その最下点ＳＴＰの近傍、すなわち着用者の左脇の下側、特にその後側では、生地の引張力の方向による強さの偏りが比較的小さく抑えられるので、しわが発生しにくい。したがって、そのしわに伴って着用者の脇の下に食い込む生地の量が低減する。
【００２４】
図４は、左袖１３０と、前身頃１１０のうち左袖ぐり１１８の近傍との展開図である。図５は、左袖１３０と、後身頃１２０のうち左袖ぐり１１８の近傍との展開図である。なお、右袖１４０と、身頃のうち右袖ぐり１１９の近傍との展開図は、図４、図５の左右を反転させた図に等しい。したがって、以下では、左袖１３０と左袖ぐり１１８とについて説明する。その説明は右袖１４０と右袖ぐり１１９とについても援用される。
【００２５】
左袖１３０は、１枚の生地が筒状に巻かれた構造である。具体的には、図４、図５が示す左袖１３０を成す生地の境界線のうち、第１袖下線４０１と第２袖下線４０２とが互いに縫合されて左袖１３０の袖下１３４を形成する（図１、図２参照）。これにより左袖１３０の残りの境界線は、第１曲線群４１１、４１２、４１３と第２曲線群４２０とに分かれる。第１曲線群の一部４１１、４１２は左袖１３０の袖山線を形成する。袖山線の前側４１１は前身頃１１０の左抉り部３１１に縫合され（図４参照。）、後側４１２（以下、「後袖山線」という。）は後身頃１２０の左抉り部３２０に縫合される（図５参照）。第１曲線群の残り４１３は前身頃１１０の左脇上部３１２に縫合され、左脇１１３の上部（点ＳＴＰから点ＬＷＰまでの区間）を形成する（図２参照）。第２曲線群４２０は左袖１３０の袖口１３３を形成する（図１、図２参照）。
【００２６】
図２が示すように、後身頃１２０の左抉り部３２０は、場所によって、後身頃１２０の左右方向における中心線ＣＴＬからの距離が異なる。左抉り部３２０のうち、その両端ＢＰ１、ＢＰ２を結ぶ直線ＢＬＮから最も遠くに位置する部分ＭＤＰを「最深部」という（図５参照）。左抉り部３２０の最深部ＭＤＰは後身頃１２０の左肩１１５のうち最も左側の部分、すなわち左抉り部３２０の上端ＢＰ１よりも右側に位置する。左抉り部３２０のこのような大きな曲がりに比べ、左袖１３０の後袖山線４１２は曲がりが小さい。すなわち、左袖１３０が後身頃１２０に縫合される前では、後袖山線４１２の幅ＳＷＤが左抉り部３２０の幅ＢＷＤよりも小さい：ＳＷＤ＜ＢＷＤ。ここで、後袖山線４１２の幅ＳＷＤは、後袖山線４１２の両端ＳＰ１、ＳＰ２を結ぶ直線ＳＬＮから後袖山線４１２までの距離の最大値であり、左抉り部３２０の幅ＢＷＤは、左抉り部３１１の両端ＢＰ１、ＢＰ２を結ぶ直線ＢＬＮから最深部ＭＤＰまでの距離である。これらの幅ＳＷＤ、ＢＷＤの関係により、後袖山線４１２は右方向に引き伸ばされなければ左抉り部３２０には達しない。その結果、左袖１３０は後身頃１２０に縫合されると、後身頃１２０よりも後方へ自然に傾く。
【００２７】
図６は、上衣部１００の立体形状の平面図である。衣料の「立体形状」とは、その衣料のいずれの部分をも伸長させることなく、かつ折り曲げることもなく、膨らませた状態における衣料の３次元的な形状を意味する。立体形状は一般に、標準的な人体の形状に合わせて、その形状を包み込むように設計される。図６が示すように、上衣部１００の立体形状において、左連繋部１３５の方向は標準的な方向よりも後方へ傾いている。これにより左袖１３０の全体の立体形状が、標準的な人体の左腕を包む際の立体形状（図６の示す２点鎖線ＶＳＬ参照。）よりも角度θだけ後方（左斜め後方）へ傾いている。右袖１４０も同様である。両袖１３０、１４０がこのように後方へ傾く結果、上衣部１００の着用者は左右の肩甲骨、上腕上部、および肩が後方へ、かつ背面中央側へ引っ張られる。したがって、両腕が正面中央側へ回るように両肩が前方へ出る姿勢を着用者は取りづらい。
【００２８】
図４、図５が示すように、立体縫製がされる前、左連繋部１３５の背面には細長いひし形状の穴４３０が開けられている。この穴４３０が縫合によって塞がれると、左連繋部１３５の背面にはダーツ１３７が形成される（図２参照）。さらに、ダーツ１３７の方向を長軸とするひし形状の凹み１３８が生じる（図２および図６参照。図６には、ダーツ１３７がない場合における左袖１３０の背面の位置が破線ＲＳＬで示されている）。この凹み１３８は左袖１３０の内方へ突出している。図２が示すように、ダーツ１３７は左袖１３０の長さ方向ＬＤＬに沿って伸びているので、凹み１３８は左袖１３０の周方向よりも長さ方向ＬＤＬにおいて長い。着用者は正しい姿勢から左腕を前方へ出す際、まず凹み１３８を引き伸ばして均さねばならないので、左腕に抵抗を受ける。この抵抗により、正しい姿勢から左腕が自然に前方へ出ることが阻止される。右腕についても同様である。したがって、両腕が正面中央側へ回るように両肩が前方へ出る姿勢を着用者は取りづらい。
【００２９】
左袖１３０のうち少なくとも左連繋部１３５の背面は難伸長領域、または非伸長領域である。「難伸長領域」とは、生地が伸びにくい領域、具体的には、左袖１３０の長さ方向ＬＤＬにおいて４５ｃＮ以上６００ｃＮ以下の伸長力を加えると２０％伸長する領域をいう。この伸長力は、左袖１３０の長さ方向の２０％伸長時に６０ｃＮ以上５００ｃＮ以下となるものが好ましく、左袖１３０の長さ方向の２０％伸長時に８０ｃＮ以上４００ｃＮ以下となるものがより好ましい。「非伸長領域」とは、生地がほとんど、または実質上伸びない領域、具体的には、左袖１３０の長さ方向ＬＤＬに４５ｃＮの伸長力を加えても伸長率が０％から２０％未満まででしかない領域をいう。好ましくは、非伸長領域は、左袖１３０の長さ方向ＬＤＬに４５ｃＮの伸長力を加えても伸長率が０％から１０％未満まででしかない領域である。左袖１３０の難伸長領域、または非伸長領域は、左連繋部１３５の背面から前面にわたって広がっていてもよい。これらの構成によれば、左連繋部１３５の少なくとも背面が外からの引張力に対して強い反力を発生させるので、左連繋部１３５の背面の凹み１３８が均される際の抵抗力、および後身頃１２０の規制部１２８の引張力をほとんど、または全く減殺しない。その結果、着用者の左の肩甲骨、上腕上部、および肩の前方への移動を効果的に阻止することができる。右袖１４０についても同様である。
《変形例》
【００３０】
（A）実施形態による上衣部１００はシャツであり、前身頃１１０と後身頃１２０とを含む。しかし、前身頃１１０は省略されてもよい。すなわち、両袖１３０、１４０と後身頃１２０とだけから成る衣料であっても、着用者の姿勢に対する矯正効果は得られる。
【００３１】
（B）規制部は後身頃１２０のうち、左袖１３０の背面と右袖１４０の背面との間の領域１２８に限らず、それよりも広い領域、更には後身頃１２０の全体で構成されていてもよい。逆に、規制部１２８は省略されてもよい。規制部１２８の引張力がなくても、両袖１３０、１４０の凹み１３８が均される際の抵抗力だけで、両肩が前方へ出る姿勢を着用者に取らせづらくさせることは可能である。
【００３２】
（C）袖ぐり１１８、１１９の展開形状は直線的であってもよい。この場合、図６が示す角度θは実質的に０と等しく、すなわち両袖１３０、１４０は身頃１１０、１２０に対して真横に伸びている。それでも、両袖１３０、１４０の凹み１３８が均される際の抵抗力があるので、両肩が前方へ出る姿勢を着用者に取らせづらくさせることは可能である。
【００３３】
（D）図３、図４、図５が示す例では、身頃１１０、１２０と両袖１３０、１４０とは、別体として編まれた後に縫合されている。その他に、これらのいずれかの組み合わせ、またはすべてが一体に編まれていてもよい。
【００３４】
（E）図２では、ダーツ１３７が左袖１３０の袖口１３３から左連繋部１３５の背面まで伸びている。その他に、ダーツ１３７が左袖１３０の全長にわたって、すなわち身頃の左袖ぐり１１８まで伸びていてもよい。
【００３５】
（F）図２では、ダーツ１３７の伸びている方向、すなわち凹み１３８の長軸方向が、左袖１３０の長さ方向ＬＤＬに平行である。その他に、この長軸方向が袖の長さ方向に対して傾斜していてもよい。図７の（ａ）は、ほぼ垂直に伸びているダーツ２３７を含む上衣部１００の背面図であり、（ｂ）は、ほぼ水平に伸びているダーツ３３７を含む上衣部１００の背面図である。いずれのダーツ２３７、３３７も、左袖１３０の長さ方向に対して大きく傾斜している。これらの場合でも、着用者の左腕が左袖１３０の凹み２３８、３３８を均す際に受ける抵抗力は十分に強い。右袖１４０についても同様である。したがって両肩が前方へ出る姿勢を着用者に取りづらくさせることは可能である。
【００３６】
上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【符号の説明】
【００３７】
１００  衣料の上半身部
１１０  前身頃
１１３  左脇
１１４  右脇
１１５  肩
１１６  襟ぐり
１１７  裾
１１８  左袖ぐり
１１９  右袖ぐり
１２０  後身頃
１２８  規制部
１３０  左袖
１３３  左袖の袖口
１３４  左袖の袖下
１３５  左連繋部
１３７  左袖のダーツ
１３８  左袖の凹み
１４０  右袖
１４３  右袖の袖口
１４４  右袖の袖下
１４５  右連繋部
１４７  右袖のダーツ
１４８  右袖の凹み
【要約】
衣料の上半身部は、少なくとも後身頃を含む身頃、左袖、および右袖を備えている。左袖が、身頃の左側に繋げられた左連繋部を含み、右袖が、身頃の右側に繋げられた右連繋部を含む。左連繋部と右連繋部とのそれぞれが背面に、袖の内方へ突出した凹みを含む。この凹みが、左袖または右袖の周方向よりも当該袖の長さ方向において長い。【図１】
0006696662.tif 000002
【図２】
0006696662.tif 000003
【図３】
0006696662.tif 000004
【図４】
0006696662.tif 000005
【図５】
0006696662.tif 000006
【図６】
0006696662.tif 000007
【図７】
0006696662.tif 000008